(57)【要約】【課題】  紹介元医療機関からの検査予約業務を確実に行い、医療診断機器の稼働率を高める検査予約システム等を提供すること。【解決手段】  ＣＴ、ＭＲＩ、ＰＥＴなどの医療用診断機器１２１による検査では、検査部位或いは検査条件（造影剤の有無等）によって必要な検査時間がある程度決められる。本検査予約システムのサーバ１０１は、診断機器１２１ごとに、検査部位または検査条件の少なくともいずれかに基づいて決定される検査時間に関する検査時間データをデータベース３０１に保持し、また、診断機器１２１の使用時間を複数の単位予約時間枠に分割して保持し、ネットワーク１０９を介して、端末装置１０３から入力される検査部位または検査条件から、必要な数の単位予約時間枠を決定し、診断機器１２１による検査を予約する。【選択図】  図１
2006323634.tif 000002
【特許請求の範囲】
【請求項１】
医療用診断機器を用いた検査の予約に関する情報を管理するサーバと、前記予約に関する情報を入力あるいは取得する少なくとも一つの端末装置と、がネットワークを介して互いに前記予約に関する情報を送受可能に接続される検査予約システムであって、
前記サーバは、
検査部位または検査条件の少なくともいずれかに基づいて決定される、前記医療用診断機器を用いた検査の検査時間に関する検査時間情報を保持する検査時間情報保持手段と、
前記医療用診断機器の使用時間を、複数の単位予約時間枠に分割して保持する予約時間枠保持手段と、
前期検査時間情報を参照して、前記端末装置から入力された検査部位または検査条件の少なくともいずれかから、必要な数の前記単位予約時間枠を決定し、前記医療用診断機器による検査を予約する予約手段と、
を具備することを特徴とする検査予約システム。
【請求項２】
前記複数の単位予約時間枠は、前記医療用診断機器を有する医療機関に割り当てられた機関内分と、当該医療機関外に割り当てられた機関外分として、所定に比率に分けられ、前記比率は、検査時刻を基準とした所定の時間前に変化することを特徴とする請求項１記載の検査予約システム。
【請求項３】
前記サーバは、文字認識手段を具備し、
前記文字認識手段は、予約に関する書類から、前記検査部位または前記検査条件の少なくともいずれかを読み出し、
前記予約手段は、前記文字認識手段が読み出した前記検査部位または前記検査条件の少なくともいずれかを基に、必要な数の前記単位予約時間枠を決定し、前記医療用診断機器による検査を予約することを特徴とする請求項１記載の検査予約システム。
【発明の詳細な説明】
【技術分野】
【０００１】
本発明は、ネットワークを利用し、高額な医療診断機器を地域で共同利用するための検査予約システムに関する。
【背景技術】
【０００２】
近年、地域の個人病院や診療所等が地域中核病院に患者の診察や検査を紹介、依頼する地域医療連携が促進され、高額医療機器の共同利用が進められている。
高額医療機器、特にＣＴ（Ｃｏｍｐｕｔｅｄ  Ｔｏｍｏｇｒａｐｈｙ：コンピュータ断層撮影装置）、ＭＲＩ（Ｍａｇｎｅｔｉｃ  Ｒｅｓｏｎａｎｃｅ  Ｉｍａｇｉｎｇ  Ｓｙｓｔｅｍ：磁気共鳴画像診断装置）、ＰＥＴ（Ｐｏｓｉｔｒｏｎ  Ｅｍｉｓｓｉｏｎ  Ｔｏｍｏｇｒａｐｈｙ：陽電子放射断層撮影装置）などの画像診断機器は、導入、維持コストが非常に高額であるために、個人病院や診療所では導入が困難である。したがって、個人病院や診療所（紹介元医療機関）では、高額医療機器による検査が必要な患者を、その機器を所有する地域中核病院（検査病院）に紹介し、検査の予約を行う。
【０００３】
一方、近年のコンピュータネットワークの発達により、地域中核病院など比較的規模の大きな医療機関を中心に、徐々に電子カルテシステムなどのコンピュータネットワークを利用した医療システムが利用されつつあり、ネットワークを使用して、サーバに蓄積された医療情報等を地域で共同利用したり、診療予約を行うことも考えられている（例えば、特許文献１）。
【０００４】
【特許文献１】特開２００２−１４９８３３号公報
【発明の開示】
【発明が解決しようとする課題】
【０００５】
しかしながら、電子カルテシステムや病院の診療情報等は、各医療機関にとっても重要な情報であり、電子カルテシステムなどは地域医師会を中心に構築される場合が多い。このため、コンピュータネットワークを利用してどの医療機関からもアクセス可能なオープンなシステムを構築、利用することは、現実的には非常に困難である。
【０００６】
したがって、現状では、紹介元医療機関からの検査予約や診療予約は、電話やＦＡＸなど人手を介した作業が多く、この場合、予約受付担当部署の担当者が予約登録台帳等で確認しつつ受付処理を行うため、検査や診療の内容にかかわらず、検査時間を固定し予約を受け付け登録することから、検査と検査の間に時間が空いてしまい、医療診断機器の稼働率が低くなってしまうといった問題がある。
また、人手を介する作業であるため、当然のことながら、予約ミスや予約受け付け部門と検査部門との連絡ミスなどが起こることも十分に考えられる。
ＦＡＸ、電話による検査予約登録では、受付担当者の対応が必須で、他業務に追われて速やかな返信ができにくい場合があるなど、紹介元への返事に時間がかかってしまい、患者を待たせることになるか、帰宅してしまった患者に再度予約票と紹介状を手渡す必要が起こるなどの支障が発生する恐れがある。また、診断結果である診断レポートと合わせて診断画像はフィルムで郵送している場合が多く、郵送ミスの発生や、紹介元ならびに患者への報告には日数がかかり、迅速な判断・処置に遅れをきたす可能性もある。フィルムは、原則として検査病院に返却することとなっているため、紹介元では過去の画像情報参照ができにくいことなどがあり、依頼元、紹介元の双方で煩雑な手間がかかっていた。
【０００７】
本発明は、以上の点に鑑みてなされたものであり、紹介元医療機関からの検査予約業務を確実に行い、医療診断機器の稼働率を高める検査予約システムを提供することを目的とする。
【課題を解決するための手段】
【０００８】
前述した目的を達成するために本発明は、医療用診断機器を用いた検査の予約に関する情報を管理するサーバと、前記予約に関する情報を入力あるいは取得する少なくとも一つの端末装置と、がネットワークを介して互いに前記予約に関する情報を送受可能に接続される検査予約システムであって、前記サーバは、検査部位または検査条件の少なくともいずれかに基づいて決定される、前記医療用診断機器を用いた検査の検査時間に関する検査時間情報を保持する検査時間情報保持手段と、前記医療用診断機器の使用時間を、複数の単位予約時間枠に分割して保持する予約時間枠保持手段と、前期検査時間情報を参照して、前記端末装置から入力された検査部位または検査条件の少なくともいずれかから、必要な数の前記単位予約時間枠を決定し、前記医療用診断機器による検査を予約する予約手段と、を具備することを特徴とする検査予約システムである。
【０００９】
ＣＴ、ＭＲＩ、ＰＥＴなどの医療用診断機器による検査では、検査部位或いは検査条件（造影剤の有無等）によって必要な検査時間がある程度決められる。本検査予約システムのサーバは、医療用診断機器ごとに、検査部位または検査条件の少なくともいずれかに基づいて決定される検査時間に関する検査時間情報を保持し、また、医療用診断機器の使用時間を複数の単位予約時間枠に分割して保持し、端末装置から入力される検査部位または検査条件の少なくともいずれかから、必要な数の単位予約時間枠を決定し、医療用診断機器による検査を予約する。
【００１０】
また、本システムでは、複数の単位予約時間枠は、前記医療用診断機器を有する医療機関に割り当てられた機関内分と、当該医療機関外に割り当てられた機関外分として、所定に比率に分けられているが、例えば、検査当日になると、医療機関内外にかかわらず空いている予約時間枠に予約を受け付けるといった設定も可能である。
また、本システムのサーバは、ＯＣＲなどの文字認識手段を具備し、紹介元医療機関からＦＡＸや郵送等で送られた予約に関する書類から、検査部位または前記検査条件の少なくともいずれかを読み出し、必要な数の単位予約時間枠を決定し、検査を予約するものである。
【００１１】
本発明の検査予約システムは、ＣＴ、ＭＲＩ、ＰＥＴ等の医療用画像診断機器での画像診断の検査予約において、検査撮影時間を基にした単位枠基準の予約枠を設定し、検査の部位、造影有無の入力と同情報で決まる検査撮影時間のデータと参照して、１単位枠あるいは複数枠の枠取りなどの予約を行う機能を持つ。
本検査予約システムは、同一日での複数診断機器の検査予約を行う場合に、希望する同一の予約日での該当する複数診断機器の予約データを基に、一定時間幅の枠内で予約空き状況を自動探索し、候補になる日時と検査予約内容を表示する機能を持つ。
【００１２】
また、本検査予約システムは、インターネット等のネットワークを利用して、紹介元医療機関から医療用画像診断機器を所有する検査病院へ画像検査依頼の予約を行う際に、検査病院には予約管理サーバと入出力機能を持つ管理端末から構成される検査予約システムを設置し、かつ紹介元医療機関に設置された予約登録修正取消機能を持つ端末から、予約管理サーバに登録認可された認証番号の入力することで、ネットワークを介して予約管理サーバと接続可能とし、該サーバからの予約登録の表示画面上で、予約希望日、患者情報と検査部位、造影有無情報等の予約情報を入力することで、予約登録が可能になり、かつ予約日時に登録完了した証の予約票を紹介元医療機関で印刷することで、インターネットでの予約登録を可能にする。
【００１３】
また、本検査予約システムは、検査病院と紹介元医療機関の双方の患者登録番号（ＩＤ）に基づいた患者単位のデータ保管を行うことで、再診、追加検査など同一患者情報の入力作業を簡略にできる機能を持ち、過去情報の検索機能を検査病院と紹介元医療機関の双方で可能とする。
本検査予約システムは、検査を行う検査病院において、画像診断結果の診断報告書と検査画像を電子的に接続取込む機能を持たせ、ネットワークと紹介元医療機関の設置端末を利用して、紹介元に診断報告書と電子画像を配信する機能を持つ。
【００１４】
また、本検査予約システムは、単位枠に基づいて院内と院外施設からの予約登録可能な時間帯（枠）並びに特別枠の時刻設定を行い、かつ検査日に対し、予約キャンセル含めた空き枠に院内外から自由に予約登録ができる予約開放時刻を事前設定する機能を持つ。
また、電話やFaxでの予約に対応し、予約を受付ける検査病院での予約管理端末から本システムで予約登録を行うことで、予約情報の一元管理を行う。
【００１５】
また、本検査予約システムは、所定の予約書式、ならびに音声ガイダンスに従った電話やFaxでの予約に対応し、検査病院側の電話とFaxと接続され、患者情報、紹介元情報、予約情報を文字認識（OCR）または、音声認識する機能を有する端末を設け、予約配信管理サーバと、認識情報ならびに、検査診断結果の送受信を可能とすることで、紹介元医療機関との予約登録、予約票、診断結果をFax送信する機能を持つ。
更に、予約参照端末を検査病院の中で画像検査予約が必要な部門に設置し、予約配信管理サーバに接続して、院内予約としての登録をすることで、院内予約枠への予約を可能となり、院内外の予約と診断結果の配信を一元管理とともに、検査日から一定の時間設定することで、院内外の予約空きに対しては、院内外に限らない自由な予約を可能にする。
【発明の効果】
【００１６】
このように、本検査予約システムによれば、検査部位あるいは検査条件の少なくともいずれかから、検査時間に必要な予約時間枠の数を決定し、確実に予約することができ、医療用診断機器の稼働率が向上する。
また、医療用診断機器の稼働率を高めるとともに、紹介元医療機関での予約登録時の患者待ち時間を少なくしてサービスを向上させるとともに、診断結果を電子的に配信することで、紹介元医療機関に限って迅速かつ確実な配信を可能にし、かつ、煩雑な手間が不要となる効率的な検査予約配信システムを提供することができる。
【発明を実施するための最良の形態】
【００１７】
以下に、添付図面を参照しながら、本発明に係る検査予約システム等の好適な実施形態について詳細に説明する。なお、以下の説明および添付図面において、略同一の機能構成を有する構成要素については、同一の符号を付することにより重複説明を省略することにする。
【００１８】
図１は、本発明の本実施の形態に係る検査予約システム１の概略構成を示す図である。
【００１９】
図１は、検査予約システム１の１例であり、図１に示すように、検査予約システム１は、サーバ１０１、複数の端末装置１０３等が、ネットワーク１０９を介して接続されて構成される。
尚、検査予約システム１は、ＷＷＷ（Ｗｏｒｌｄ  Ｗｉｄｅ  Ｗｅｂ）技術を用いて実現した場合の構成図である。
ネットワーク１０９は、インターネット、ローカルエリアネットワーク（ＬＡＮ）等のネットワークであり、有線、無線を問わない。
【００２０】
サーバ１０１は検査病院３に設置される。ここで、検査病院３は、高額な医療用診断機器１２１を所有する地域中核病院、大学病院等である。端末装置１０３は紹介元医療機関５に設置される。紹介元医療機関５は、地域の個人病院や診療所であり、自身で医療診断機器を所有しない医療機関である。
【００２１】
診断機器１２１は、ＭＲＩ、ＣＴ、ＰＥＴ等の医療用診断機器である。各診断機器１２１は、診断システム１３１によって操作、管理される。
診断システム１３１、院内システム３０３は、院内のＬＡＮ等によりサーバ１０１に接続される。院内システム３０３は、電子カルテシステムや診療予約システム等である。
【００２２】
サーバ１０１は、サーバコンピュータ等であり、ＷＷＷサーバ１１０、予約管理サーバ１１１、データベース３０１等を有する。予約管理サーバ１１１は、ＷＷＷサーバ１１０から呼び出され、後述する検査予約処理等を行い、データベース３０１を管理する。
【００２３】
端末装置１０３は、パーソナルコンピュータ、携帯型端末機（Ｐｅｒｓｏｎａｌ  Ｄｉｇｉｔａｌ  Ａｓｓｉｓｔａｎｔ）等である。端末装置１０３は、自身に搭載されたＷＷＷブラウザを介して、サーバ１０１のＷＷＷサーバ１１０にアクセスし、予約処理に必要な情報を送受信する。
【００２４】
次に、サーバ１０１のハードウェア構成を説明する。図２は、サーバ１０１のハードウェア構成図である。
サーバ１０１は、制御部２０１、記憶部２０２、メディア入出力部２０３、通信制御部２０４、入力部２０５、印刷部２０６、表示部２０７等が、システムバス２０９を介して接続されて構成される。
【００２５】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２６】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図１３、図１４、図１５、図１８参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２７】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラムや、本コンピュータを適用するサーバ１０１が行う後述の処理に相当するアプリケーションプログラム等が格納されている。
これらの各プログラムコードは、制御部２０１により必要に応じて読み出されてＲＡＭに移され、ＣＰＵに読み出されて各種の手段として実行される。
【００２８】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２９】
通信制御部２０４は、通信制御装置、通信ポート等を有し、サーバ１０１とネットワーク１０９間の通信を媒介する通信インタフェースであり、ネットワーク１０９を介して、サーバ１０１と、端末装置１０３間の通信制御を行う。
【００３０】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３１】
印刷部２０６は、プリンタであり、印刷出力処理を行う。
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
システムバス２０９は、各装置間の制御信号、データ信号等の授受を媒介する経路である。
【００３２】
次に、図３を参照しながら、サーバ１０１の記憶部２０２が保持する情報について説明する。図３は、記憶部２０２が保持する情報を示す図である。
記憶部２０２内には、データベース３０１、制御プログラム３１１、アプリケーションプログラム３１２等が格納されている。
【００３３】
データベース３０１については後に詳細に説明する。
制御プログラム３１１は、サーバ１０１の各構成部分を駆動制御するプログラムであり、ＯＳ（オペレーティングシステム）に相当する。
アプリケーションプログラム３１２は、サーバ１０１が行う後述の処理（図１３、図１４、図１５、図１８参照）に相当する実行可能プログラムであり、ＷＷＷサーバ１１０、予約管理サーバ１１１等に該当するプログラムである。
【００３４】
次に、データベース３０１について説明する。図４は、データベース３０１に保持されるデータを示す図である。
図４に示すように、データベース３０１は、検査時間データ３２１、紹介元医療機関データ３３１、受診者（患者）データ３４１、予約時間枠比データ３５１、予約表データ３６１、レポートデータ３７１等からなる。尚、サーバ１０１が管理するデータベース３０１は、必要に応じて、複数存在してもよい。
【００３５】
図５は、検査時間データ３２１を示す図である。検査時間データ３２１は、診断機器１２１における、検査部位或いは検査条件によって決定される検査時間の情報である。検査時間データ３２１は、診断機器、検査部位、検査条件（造影の有無等）、枠数、単位予約時間枠等から構成される。
【００３６】
診断機器は、検査病院３が所有するＭＲＩやＣＴといった診断機器１２１であり、検査予約の対象となる機器である。検査部位は「頭部」、「胸部」といった検査の対象となる部分、造影剤の有無は検査条件の一つである。検査時間は、検査部位或いは検査条件の少なくともいずれかによって決定される。例えば、検査部位が「頭部」で検査条件として「造影剤無」の場合、検査時間は「１０分」となる。
【００３７】
枠数は、その検査に必要となる単位予約時間枠の数である。
図６は、単位予約時間枠の説明図である。診断機器１２１を使用することができる機器使用可能時間は複数の単位予約時間枠に分割され、データベース３０１に保持される。ここで、単位予約時間枠は診断機器１２１ごとに、設定することが可能であり、任意に変更することも可能である。
【００３８】
図５に示すように、ＭＲＩの単位予約時間枠が「１５分」と設定されている場合、検査部位が「頭部」で検査条件として「造影剤無」の場合、検査時間は「１０分」であり、必要な単位予約時間枠の数は「１」となる。また、診断機器が「ＭＲＩ」であり、検査部位が「胸部」で検査条件として「造影剤有」の場合、必要な検査時間は「２５分」であり、必要な単位予約時間枠の数は「２」となる。
【００３９】
図７は、紹介元医療機関データ３３１を示す図である。紹介元医療機関データ３３１は、紹介元医療機関ＩＤや医療機関情報等から構成される。紹介元医療機関ＩＤは紹介元医療機関５の識別番号である。医療機関情報は、紹介元医療機関５の名称や住所といった情報や、サーバ１０１にアクセスするために入力するパスワード等である。
【００４０】
図８は、受診者（患者）データ３４１を示す図である。受診者データ３４１は、紹介元医療機関５から紹介され、検査病院３にて検査を受ける患者に関する情報であり、患者ＩＤ、患者氏名、患者情報等から構成される。患者情報には、紹介元医療機関ＩＤ、住所、問診データ、受診記録等が含まれる。患者ＩＤは紹介元医療機関５と共通のものを使う場合もあるが、検査病院３独自の患者ＩＤを使用する場合には、患者情報として紹介元医療機関５で適用される患者ＩＤが保持される。
【００４１】
図９は、予約時間枠比データ３５１を示す図である。予約時間枠比データ３５１は、図６に示す複数の単位予約時間枠の割り当ての比率を示すものである。例えば、図６に示すように、複数の単位予約時間枠を検査病院３内部での検査に割り当てる「院内枠」と紹介元医療機関５等に割り当てる「院外枠」とに分け、予約時間枠比データ３５１によってその比率が設定される。
【００４２】
図９に示す予約時間枠比データ３５１を用いて、「院内枠」と「院外枠」のそれぞれに割り当てられる単位予約時間枠の比率は、検査当日を基準として、検査当日の３日以前では「７：３」に、２日前から前日以前では「９：１」に、当日は「院内枠」と「院外枠」に関係なく予約を受け付ける「フリー」な状態に、設定することが可能である。
ここでは、複数の単位予約時間枠を「院内枠」と「院外枠」に分けたが、必ずしも分ける必要はないし、また、特定の医療機関に単位予約時間枠を優先的に割り当てるなど、設定は任意に変更可能である。
【００４３】
図１０は、予約表データ３６１を示す図である。予約表データ３６１は診断機器１２１ごとの予約に関する情報を設定するデータであり、検査日と予約時刻に対してＳ１、Ｓ２、…が設定される。Ｓ１、Ｓ２、…には、受診者データ３４１、検査時間データ３２１が関連付けられ、「検査済み」、「検査中」、「予約済み」といった予約状況を示すステータスが設定される。
【００４４】
図１１は、レポートデータ３７１を示す図である。レポートデータ３７１は、検査後に紹介元医療機関５から検査結果等の参照を要求された場合に送信するレポートを作成するためのデータであり、患者ＩＤ、紹介元医療機関ＩＤ、診断機器１２１によって撮影された画像ファイル名、検査に関する所見等が記載されたレポートファイル名等から構成される。
【００４５】
次に、図１２を参照しながら、端末装置１０３のハードウェア構成を説明する。図１２は、端末装置１０３のハードウェア構成図である。
端末装置１０３は、制御部４０１、記憶部４０２、メディア入出力部４０３、通信制御部４０４、入力部４０５、印刷部４０６、表示部４０７等が、システムバス４０９を介して接続される。
尚、端末装置１０３のハードウェア構成は、図２について前述したサーバ１０１と同様の構成を採る。
【００４６】
次に、サーバ１０１による検査予約処理について説明する。図１３は検査予約システムの起動処理の手順を示すフローチャートであり、図１４、図１５は検査予約処理の手順を示すフローチャートである。
【００４７】
サーバ１０１の記憶部２０２には、アプリケーションプログラム３１２である予約管理プログラムがインストールされている。以下のサーバ１０１の処理は、このプログラムの制御に従って、サーバ１０１の制御部２０１によって行われる。
また、端末装置１０３の記憶部４０２には、ＷＷＷブラウザがインストールされており、以下の端末装置１０３の処理（ＷＷＷブラウザを介したサーバ１０１へのアクセス、サーバ１０１への指示等）は、端末装置１０３の制御部４０１によって行われる。
【００４８】
端末装置１０３の制御部４０１は、サーバ１０１にアクセスし、検査予約システムの起動を要求する（ステップ６０１）。
サーバ１０１の制御部２０１は、予約管理プログラムを起動し、ＷＷＷサーバ１１０を介して、認証画面のデータを端末装置１０３に送信する（ステップ６０２）。
【００４９】
端末装置１０３の制御部４０１は、認証画面を表示する（ステップ６０３）。紹介元医療機関３の担当医師等の利用者が認証画面において紹介元医療機関ＩＤやパスワード等を入力すると、制御部４０１はそれらをサーバ１０１に送信する（ステップ６０４）。
【００５０】
次に、サーバ１０１の制御部２０１は、送信された紹介元医療機関ＩＤやパスワード等と紹介元医療機関データ３３１とを照合し、ユーザ認証を行う（ステップ６０５）。ユーザ認証が正しく行われた場合、制御部２０１は端末装置１０３に対してメニュー画面のデータを送信する（ステップ６０６）。
ここまでが、検査予約システムを起動し、メニュー画面を表示するまでの処理である。
【００５１】
次に、図１４に示すように、端末装置１０３の制御部４０１は、利用者によって選択された診断機器の予約状況の参照をサーバ１０１に対して要求する（ステップ７０１）。サーバ１０１の制御部２０１は、指定された診断機器１２１の予約表データ３６１を基に月別予約表画面を作成し、端末装置１０３に対してデータを送信する。
【００５２】
端末装置１０３の制御部４０１は、月別予約表画面を表示し（ステップ７０３）、利用者によって入力された希望日時、検査部位、検査条件を送信する（ステップ７０４）。
サーバ１０１の制御部２０１は、検査時間データ３２１を参照し、予約表データ３６１として希望日時に検査予約時間枠を登録する（ステップ７０５）。
【００５３】
図１６は、月別の予約状況を示す予約表画面２０の一例を示す図である。予約表画面２０において、利用者が検査条件入力部２１や検査部位入力部２３における該当項目、予約表２５における希望日時をマウス等の入力部４０５でチェックすると、制御部４０１はその内容をサーバ１０１に送信する。
【００５４】
サーバ１０１の制御部２０１は、入力された検査部位や検査条件から、検査時間データ３２１を参照し、検査に必要な予約時間枠の数を決定し、その必要な数の予約時間枠を希望日時に予約し、予約表データ３６１に登録する。希望日時に必要な数の予約時間枠が取れない場合は、端末装置１０３に対して日時の指定を再度依頼する。
【００５５】
次に、サーバ１０１の制御部２０１が、患者情報入力画面データを送信すると（ステップ７０６）、端末装置１０３の制御部４０１は、その画面を表示し、利用者によって入力された患者情報を（患者が検査病院３にて再診であり、患者ＩＤがある場合には患者ＩＤを）サーバ１０１に送信する（ステップ７０７）。
サーバ１０１の制御部２０１は、患者情報を受診者データ３４１として登録する。患者ＩＤが入力された場合は、患者ＩＤを基に受診者データ３４１から患者情報を読み出して送信する（ステップ７０８）。
【００５６】
図１７は、患者情報入力画面３０の一例を示す図である。患者情報入力画面３０では、検査を受ける患者の氏名、生年月日、検査特記事項などの患者情報が入力され、入力された患者情報は新たに発行された患者ＩＤとともに図８に示す受診者データ３４１に登録される。
【００５７】
また、患者が検査病院３にて再診である場合には、サーバ１０１の制御部２０１は、入力された患者ＩＤから受診者データ３４１を検索して、該当する患者の患者情報を読み出し、患者情報入力画面３０に表示させる。したがって、本システムでは患者が再診の場合は、患者情報を入力する作業は省略可能となる。
【００５８】
こうして検査予約や患者情報に関する入力が完了すると、サーバ１０１の制御部２０１は、端末装置１０３に対して最終確認を問い合わせる（ステップ７０９）。制御部４０１は、利用者によって入力された最終確認をサーバ１０１に送信し、利用者が検査当日に検査病院に持参する予約票等を印刷する（ステップ７１０）。
【００５９】
図１７に示す患者情報入力画面において、最終的に入力情報を確認した利用者はマウス等の入力部４０５により「予約」ボタン等を選択して、最終確認をサーバ１０１に対して送信する。これにより、予約処理は完了する。サーバ１０１の制御部２０１は、端末装置からの予約確認を受けて、これまでの処理における登録情報を確定する（ステップ７１１）。
【００６０】
このように本システム１では、端末装置１０３から入力される、診断機器１２１による検査部位或いは検査条件から、検査に必要な予約時間枠の数を決定し、検査予約を確実に行うことができる。そして、予約時間枠を適切に設定することによって、診断機器の稼働率を向上させることが可能である。
【００６１】
図１８は、レポートデータの配信処理の手順を示すフローチャートである。
本システム１では、検査が行われた後、紹介元医療機関５から検査結果を参照することも可能である。
紹介元医療機関５の利用者は、図１３に示す処理手順に従って、端末装置１０３からサーバ１０１にアクセスし、メニュー画面を表示させる。
【００６２】
利用者が、メニュー画面からメニューを選択し、レポートの配信を要求すると、端末装置１０３の制御部４０１はその旨をサーバ１０１に送信する（ステップ８０１）。サーバ１０１の制御部２０１は、患者ＩＤの入力画面のデータを送信する（ステップ８０２）。
【００６３】
端末装置１０３の制御部４０１は画面を表示し、利用者によって入力された患者ＩＤをサーバ１０１に送信する（ステップ８０３）。サーバ１０１の制御部２０１は、患者ＩＤを基にレポートデータ３７１を参照し、レポートを作成し、データを端末装置１０３に送信する（ステップ８０４）。端末装置１０３の制御部４０１は、レポートを表示する（ステップ８０５）。
【００６４】
このように、本システム１では、レポートデータ３７１により、紹介医療機関５から検査結果を容易に参照することができる。逆に、紹介元医療機関５に配信可能なデータをレポートデータ３７１に登録しておけばよく、検査病院３における院内での重要情報等は院外に流出することは無い。
また、レポートデータ３７１を用いることによって、検査に関する統計を求めることもできる。例えば、紹介元医療機関ごとの検査依頼数、検査数など、医療事務等に役立てられる情報も容易に得ることが出来る。
【００６５】
次に、図１９を参照しながら、第２の実施の形態について説明する。図１９は、検査予約システム１１の概略構成を示す図である。検査予約システム１１は、端末装置１０３を持たず、ファクシミリ１０５を有する紹介元医療機関５ａからの検査予約を行うものである。
【００６６】
紹介元医療機関５ａは、ファクシミリ１０５から公衆回線１０７を介して、検査病院３に設置された地域連携室７のファクシミリに、検査予約に必要な情報を記入した書類（例えば、図１６や図１７に示す書類）を送信する。地域連携室７では、操作担当者が端末装置３０６からサーバ１０１にアクセスし、書類から検査に必要な情報を読み取り、入力して、検査予約を行う。ここで、端末装置３０６は検査予約システム１における端末装置１０３と同様の機能を有し、動作をする。即ち、検査予約システム１１における端末装置３０６は、検査予約システム１の端末装置１０３に相当し、端末装置３０６からサーバ１０１に対する検査予約処理は、図１３、図１４、図１５に示す検査予約処理手順に従って行われる。
【００６７】
次に、図２０を参照しながら、第３の実施の形態について説明する。図２０は、検査予約システム１５の概略構成を示す図である。検査予約システム１５では、紹介元医療機関５ａのファクシミリ１０５から公衆回線１０７を介して送信された、検査予約に必要な情報を記入した書類（例えば、図１６や図１７に示す書類）はＯＣＲ３０８によって読み取られる。
【００６８】
端末装置３０７は、検査予約システム１における端末装置１０３と同様の機能を有し、動作をする。端末装置３０７は、サーバ１０１にアクセスして、図１３、図１４、図１５に示す検査予約手順に従って検査予約を行うが、図１に示す検査予約システム１ではステップ７０４、ステップ７０７で入力される情報が、検査予約システム１５では、ＯＣＲ３０８によって読み取られ、入力される。
【００６９】
このように、第２、第３の実施の形態によれば、紹介元医療機関５ａのように端末装置１０３を持たず、ファクシミリ１０５から送られた書類を基にして、診断機器１２１の検査予約を行うことが可能である。
また、第１〜第３の実施の形態を適宜組み合わせて、即ち、ネットワーク利用とファックスによる受付を併用して検査予約を行うシステムも提供可能である。
【００７０】
また、複数の紹介元医療機関からの画像診断検査結果の配信に対して、紹介予約時に紹介元医療機関ＩＤ（施設コード）を自動登録することで、紹介予約した患者分の情報のみを紹介元医療機関に配信する機能を有してもよい。
上記の配信機能とあわせて、紹介元医療機関の患者ＩＤを紹介予約時に入力登録することで、ＩＤを基にした再診判定と、再診の場合には前回登録情報を基に、年齢情報などを予約日と参照して自動修正した上で自動登録する機能とともに、検査診断結果の保管検索に対して、過去の検査結果を含めた同一患者の情報検索参照を容易にできるようにしてもよい。
【００７１】
紹介元医療機関は事前にサーバに医療機関ＩＤ（施設コード）を登録することで、検査予約システムにおいて、医療機関別に施設別ＩＤ、パスワードが発行される。この施設別ＩＤ、パスワードを端末に入力することで、サーバへのアクセスが可能になり、予約登録ならびに検査診断結果の参照が可能になる。この手続きで、紹介元医療機関の施設コードは予約登録時に自動登録され、紹介予約患者がどの紹介元医療機関から紹介されたかを特定できるとともに、診断結果を該当する紹介元医療機関のみに配信することが可能になる。
検査病院では、電子カルテの普及に伴って、別に画像診断システムなどにより、診断機器からの画像の電子化や、診断レポートの電子化が進められている。これらの電子化された情報を本検査予約システムと接続することで、上記の配信管理が可能となる。
更に、紹介元医療機関では、同一患者の再診判定ならびに過去の結果を含めた診断情報の参照に対して、紹介元医療機関の患者ＩＤの入力登録を紹介予約時に行う。検査予約の再診有無は、患者ＩＤを比較参照することで判定できるとともに、再診時は登録済みの患者情報を自動入力することで再入力作業を省くことが出来る。年齢などに関しては、検査予約日を基準として自動編集した正しい値を入力できるものとする。
患者が地域内で、紹介元医療機関を変えて受診する場合もあり、同一患者でも異なる紹介元医療機関からの検査予約ならびに診断結果の管理が必要となる。
上記のような同一患者の異なる紹介元機関からの検査予約の場合には、検査病院での患者ＩＤは同一として、紹介元医療機関ＩＤ（施設コード）の違う患者として登録することで、検査病院としては、過去の診断情報の参照などが可能となる。
一方、紹介元医療機関としては、自身が紹介予約した分の診断情報は参照できるが、他の医療機関からの検査予約分の診断結果等は参照できないものとする。
【００７２】
以上、添付図面を参照しながら、本発明に係る検査予約システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７３】
【図１】本実施の形態に係る検査予約システム１の概略構成を示す図
【図２】サーバ１０１のハードウェア構成図
【図３】記憶部２０２が保持する情報を示す図
【図４】データベース３０１の構造を示す図
【図５】検査時間データ３２１を示す図
【図６】単位予約時間枠の説明図
【図７】紹介元医療機関データ３３１を示す図
【図８】受診者データ３４１を示す図
【図９】予約時間枠比データ３５１を示す図
【図１０】予約表データ３６１を示す図
【図１１】レポートデータ３７１を示す図
【図１２】端末装置１０３のハードウェア構成図
【図１３】検査予約システムの起動処理手順を示すフローチャート
【図１４】検査予約処理手順を示すフローチャート
【図１５】検査予約処理手順を示すフローチャート
【図１６】予約状況表示画面を示す図
【図１７】患者情報入力画面を示す図
【図１８】レポート作成処理手順を示すフローチャート
【図１９】検査予約システム１１の概略構成図（第２の実施の形態）
【図２０】検査予約システム１５の概略構成図（第３の実施の形態）
【符号の説明】
【００７４】
１………検査予約システム
３………検査病院
５、５ａ………紹介元医療機関
１０１………サーバ
１０３………端末装置
１０５………ファクシミリ
１０９………ネットワーク
１１０………ＷＷＷサーバ
１１１………予約管理サーバ
１２１………診断機器
１３１………診断システム
２０１、４０１………制御部
２０２、４０２………記憶部
３０１………データベース
３０３………院内システム
３２１………検査時間データ
３３１………紹介元医療機関データ
３４１………受診者（患者）データ
３５１………予約時間枠比データ
３６１………予約表データ
３７１………レポートデータ
【図１】
2006323634.tif 000003
【図２】
2006323634.tif 000004
【図３】
2006323634.tif 000005
【図４】
2006323634.tif 000006
【図５】
2006323634.tif 000007
【図６】
2006323634.tif 000008
【図７】
2006323634.tif 000009
【図８】
2006323634.tif 000010
【図９】
2006323634.tif 000011
【図１０】
2006323634.tif 000012
【図１１】
2006323634.tif 000013
【図１２】
2006323634.tif 000014
【図１３】
2006323634.tif 000015
【図１４】
2006323634.tif 000016
【図１５】
2006323634.tif 000017
【図１６】
2006323634.tif 000018
【図１７】
2006323634.tif 000019
【図１８】
2006323634.tif 000020
【図１９】
2006323634.tif 000021
【図２０】
2006323634.tif 000022